(57)【要約】【課題】  ユーザがコピーを行う際の利便性を向上させることのできる記録装置を提供する。【解決手段】  複製可能回数が制限されたコンテンツデータを記録する記録手段と、記録手段が記録するコンテンツデータを複製する複製手段と、記録手段が記録するコンテンツデータの複製可能回数を管理し、複製手段による複製に伴って該コンテンツデータの複製可能回数を減算する管理手段と、記録手段に記録されたコンテンツデータを其々アイコンとして示す一覧表示画面を作成する表示画面作成手段とを備え、表示画面作成手段は、一覧表示画面上に配置される其々のアイコンの少なくとも一部の画像の大きさを、対応するコンテンツデータの複製可能回数に応じて変化させる。【選択図】      図４
2009245475.tif 000002
【特許請求の範囲】
【請求項１】
複製可能回数が制限されたコンテンツデータを記録する記録手段と、
前記記録手段が記録するコンテンツデータを複製する複製手段と、
前記記録手段が記録するコンテンツデータの複製可能回数を管理し、前記複製手段による複製に伴って該コンテンツデータの複製可能回数を減算する管理手段と、
前記記録手段に記録されたコンテンツデータを其々アイコンとして示す一覧表示画面を作成する表示画面作成手段と
を備え、
前記表示画面作成手段は、前記一覧表示画面上に配置される其々のアイコンの少なくとも一部の画像の大きさを、対応するコンテンツデータの複製可能回数に応じて変化させること
を特徴とする記録装置。
【請求項２】
前記一覧表示画面上に配置されるアイコンは、対応するコンテンツデータの複製可能回数が少ないほど、該アイコン中の前記一部の画像の面積が小さいこと
を特徴とする請求項１記載の記録装置。
【請求項３】
前記一覧表示画面上に配置されるアイコンは、対応するコンテンツデータの複製可能回数が零となった場合であっても、前記一部の画像を表示すること
を特徴とする請求項２記載の記録装置。
【請求項４】
前記一覧表示画面上に配置されるアイコンは、サムネイル画像と、テキスト情報を示すテキスト領域とを含み、其々のアイコンの前記サムネイル画像の大きさを、対応するコンテンツデータの複製可能回数に応じて変化させると共に、前記テキスト情報は、コンテンツデータの複製可能回数に応じた変化をさせないこと
を特徴とする請求項３記載の記録装置。
【請求項５】
前記表示画面作成手段は、前記一覧表示画面上のアイコンを選択するためのカーソルを表示し、
前記表示画面作成手段は、前記カーソルで選択されたアイコンに対応するコンテンツデータの複製可能回数を、前記一覧表示画面上に表示すること
を特徴とする請求項４記載の記録装置。
【発明の詳細な説明】
【技術分野】
【０００１】
本発明は、記録装置に関する。
【背景技術】
【０００２】
近年、テレビジョン放送のデジタル化が推進されている。例えば、日本国内においては、ＢＳ（Ｂｒｏａｄｃａｓｔｉｎｇ  Ｓａｔｅｌｌｉｔｅ）デジタル放送及び１１０度ＣＳ（Ｃｏｍｍｕｎｉｃａｔｉｏｎ  Ｓａｔｅｌｌｉｔｅ）デジタル放送等の衛星デジタル放送だけでなく、地上波デジタル放送も開始されている。
【０００３】
このようなデジタル放送にあっては、著作権保護の観点から、放送されるコンテンツに対して、デジタルコピーを全く許可しないコピー禁止の形態、又は、１世代限りのデジタルコピーを許可する、いわゆるコピーワンスと称される形態のコピー制限を施すことが広く行われている。
【０００４】
このため、デジタル放送を受信するデジタル放送受信機能を持つ記録装置においては、コピーワンスの制限が施された番組を受信し、これにより得られるコンテンツデータを所定の記録メディアに記録した場合、その記録メディアに記録されたコンテンツデータを、他の記録メディアにデジタルコピーすることは不可能となっている。
【０００５】
尚、コピーワンスの制限が施されたコンテンツデータは、所定の記録メディアに記録された後、コピーではなくムーブ（移動）によって他の記録メディアに移すことができる。即ち、記録元となる記録メディアに記録されたコンテンツデータは、記録先となる記録メディアに書き込まれた後、記録元の記録メディアでは再生不可能となるように処理される。
【０００６】
さらに現在、例えばＨＤＤ（Ｈａｒｄ  Ｄｉｓｋ  Ｄｒｉｖｅ）等の記録媒体を内蔵するタイプのデジタル放送受信装置については、受信して記録媒体に記録したコンテンツデータに対し、その記録媒体から他の記録媒体に其々１世代に限って複数回のデジタルコピーを可能とする方針が提案され、現在検討されている。
【０００７】
このように受信したコンテンツデータを内蔵の記録装置に記録し、その記録装置から１世代限りで複数回という多様なデジタルコピーを行えるように構成された装置にあっては、ユーザがコンテンツデータのコピー（複製）を行う際に必要とする情報を容易に把握できるようにすることが重要である。
【０００８】
特許文献１には、チェックアウト回数に応じたアイコンとして示すことのできる情報処理装置が開示されている。ここでチェックアウトとは、例えば、パーソナルコンピュータに記録されている、コンテンツ、そのコンテンツに関連するデータのうち、コンテンツおよびコンテンツに関連するデータをポータブルデバイスにコピーすることを意味する。
【特許文献１】特開２００２−３１２５２２号公報
【発明の開示】
【発明が解決しようとする課題】
【０００９】
しかしながら、特許文献１記載の手法では、直感的にコピー可能回数を把握することができない。アイコンがチェックアウト回数に応じて変化するものの、どのアイコンがどういったチェックアウト回数に対応するのかをユーザが予め認識しておかねばならず、ユーザにとっては極めて煩雑でわかりにくい。
【００１０】
そこで本発明は上記事情を考慮してなされたもので、ユーザがコピーを行う際の利便性を向上させることのできる記録装置を提供することを目的とする。
【課題を解決するための手段】
【００１１】
上記目的を達成するために、本発明の記録装置は、複製可能回数が制限されたコンテンツデータを記録する記録手段と、前記記録手段が記録するコンテンツデータを複製する複製手段と、前記記録手段が記録するコンテンツデータの複製可能回数を管理し、前記複製手段による複製に伴って該コンテンツデータの複製可能回数を減算する管理手段と、前記記録手段に記録されたコンテンツデータを其々アイコンとして示す一覧表示画面を作成する表示画面作成手段とを備え、前記表示画面作成手段は、前記一覧表示画面上に配置される其々のアイコンの少なくとも一部の画像の大きさを、対応するコンテンツデータの複製可能回数に応じて変化させることを特徴とする。
【発明の効果】
【００１２】
本発明によれば、ユーザがコピーを行う際の利便性を向上させることのできる記録装置を提供することができる。
【発明を実施するための最良の形態】
【００１３】
以下、本発明の記録装置について、図面を参照しながら説明する。図１は、この実施の形態で説明するテレビジョン放送受信装置１００の概略を示すブロック図である。
【００１４】
アンテナ１０２で受信したデジタル放送信号は、図示しない入力端子を介してデジタルチューナ部１０４に供給され、このデジタルチューナ部１０４で所望のチャネルの放送信号が選局される。
【００１５】
このデジタルチューナ部１０４で選局された放送信号は、暗号解読部１０６に供給されてデスクランブル処理が施された後、復号部１０８に供給されて復号化処理が行われる。復号部１０８から出力されたデジタル信号は、グラフィック処理部１１０に供給され、ＧＵＩ（Ｇｒａｐｈｉｃａｌ  Ｕｓｅｒ  Ｉｎｔｅｒｆａｃｅ）処理部１１０から出力される、コンテンツデータの一覧表示画面等のＧＵＩを示すＯＳＤ（Ｏｎ  Ｓｃｒｅｅｎ  Ｄｉｓｐｌａｙ）信号と重畳された後、表示部１１２での映像表示に供される。尚、復号部１０８で復号され出力されるデジタル信号は映像信号だけでなく音声信号も含み、図示しないスピーカでの音声再生にも供される。
【００１６】
また、上記暗号解読部１０６で復号化処理（デスクランブル処理）が施されたコンテンツデータは、暗号化部１１４によりローカル暗号化処理が施された後、デジタルテレビジョン放送受信装置１００に内蔵されたＨＤＤ部１１６に供給され、記録される。この場合、ＨＤＤ部１１６に記録することを指示されたコンテンツデータに対しては、コピー可能回数抽出部１１８により、該コンテンツデータに設定されたコピー可能回数（例えば、１度記録後複製を作成することができないコピーワンスか、１世代に限り９回複製ができるダビング１０か、無制限に複製可能なコピーフリーか等）が抽出され、このコピー可能回数情報は、各コンテンツデータと対応付けられてコピー回数管理部１２０で管理される。ＨＤＤ部１１６に記録されたコンテンツデータを他の１つの記録メディアにコピーすることが要求された場合、コピー回数管理部１２０は、自身が管理する該コンテンツデータのコピー可能回数から１減算し、減算後のコピー可能回数をコピー可能回数情報として格納する。
【００１７】
コピー回数管理部１２０が管理するコピー可能回数情報について、図２を参照しながら簡単に説明する。
本実施例のコピー回数管理部１２０は、コピー可能回数情報として、ＨＤＤ部１１６に格納されるコンテンツデータのリスト、及びコピー可能回数だけでなく、コンテンツデータに係る番組が放送された放送時間、チャネル等の種々情報も合わせて記憶するようにしている。
【００１８】
より具体的には、図２の例では、例えば「哲子の部屋」というタイトル、放送時間１２月２３日（日）１５：００−１５：４５、１０チャネルの番組を録画して得られたコンテンツデータはコピーフリー（無制限複製可能）である旨の情報が、コピー可能回数情報としてコピー回数管理部１２０によって管理されている。同様に、例えば「Ｆ１中継」というタイトル、放送時間１２月７日（金）０：００−３：４５、８チャネルの番組を録画して得られたコンテンツデータはコピー可能回数が４回である旨の情報がコピー可能回数情報として、コピー回数管理部１２０によって管理されている。
【００１９】
この他、図２の例では其々「世界の車から」「不思議発見」「ガリレオ探偵」「探索京都」のタイトルを持つ４つのコンテンツデータも併せてＨＤＤ部１１６に格納されており、其々現時点でのコピー可能回数が８回、０回（ＮｏＭｏｒｅＣｏｐｙ）、９回、８回であることがわかり、各コンテンツデータに係る番組の放送時間等の情報も合わせて管理されている。
【００２０】
コピー回数管理部１２０で管理されるコピー可能回数は、図１の例ではＨＤＤ部１１６とは別の構成として記載されているが、ＨＤＤ部１１６の内部に記憶するようにしてもよい。しかしながら、いずれの場合であっても、ユーザによる改竄を防止し、著作権保護を十分に図るため、暗号化してコピー可能回数情報を管理することが望ましい。
【００２１】
再び図１の説明に戻り、ＨＤＤ部１１６に記録されたコンテンツデータは、他の記録メディアにコピー（複製）される場合、ＨＤＤ部１１６で読み出され、暗号解読部１２２によりローカル暗号が解かれた後、暗号化部１２４によりコピー先の記録メディアに対応した暗号化処理が施されてから、記録メディアＤに記録される。
【００２２】
この実施の形態では、他の記録メディアとして、デジタルテレビジョン放送受信装置１００に対して着脱自在となる、例えばＤＶＤ（Ｄｉｇｉｔａｌ  Ｖｅｒｓａｔｉｌｅ  Ｄｉｓｋ）等である光ディスクＤと、デジタルテレビジョン放送受信装置１００に外部接続される、例えばＨＤＤ等を内蔵する記録再生装置とを想定している。
【００２３】
暗号化部１２４は、入力されたコンテンツデータに対して、例えば、コピー先の記録メディアとしてＤＶＤが指定される場合には、ＣＰＲＭ（Ｃｏｎｔｅｎｔ  Ｐｒｏｔｅｃｔｉｏｎ  ｆｏｒ  Ｒｅｃｏｒｄａｂｌｅ  Ｍｅｄｉａ）に準拠した暗号化処理を施すように機能し、コピー先の記録メディアとしてＢｌｕ−ｒａｙ  Ｄｉｓｃが指定される場合には、ＡＡＣＳ（Ａｄｖａｎｃｅｄ  Ａｃｃｅｓｓ  Ｃｏｎｔｒｏｌ  Ｓｙｓｔｅｍ）に準拠した暗号化処理を施すように機能する。また、コンテンツデータがＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４規格に準拠した形態で外部の記録再生装置に伝送される場合、暗号化部１２４は、入力されたコンテンツデータに対して、ＤＴＣＰ（Ｄｉｇｉｔａｌ  Ｔｒａｎｓｍｉｓｓｉｏｎ  Ｃｏｎｔｅｎｔ  Ｐｒｏｔｏｃｏｌ）に準拠した暗号化処理を施すように機能し、Ｅｔｈｅｒｎｅｔ（登録商標）等のＩＰ（Ｉｎｔｅｒｎｅｔ  Ｐｒｏｔｏｃｏｌ）経由で外部の記録再生装置に伝送される場合には、ＤＴＣＰ−ＩＰに準拠した暗号化処理を施すように機能する。
【００２４】
そして、暗号化部１２４で暗号化されたコンテンツデータは、ディスクドライブ部１２６に供給されることにより、そこに装着された光ディスクＤに記録される。また、暗号化部１２４で暗号化されたコンテンツデータは、デジタルＩ／Ｆ（Ｉｎｔｅｒｆａｃｅ）部１２８により、例えばＩＥＥＥ１３９４等のデジタル信号伝送規格に準拠したフォーマットに変換された後、外部の記録再生装置に供給され記録される。
【００２５】
上記のような構成とされたデジタルテレビジョン放送受信装置１００において、以下、その主要な処理動作について説明する。まず、図３を参照しながら、コンテンツデータの複製処理について説明する。図３は、コンテンツデータの複製時の処理の流れを示すフローチャートである。
【００２６】
例えば、図４に例を示すコンテンツ一覧表示画面４０上で１のコンテンツデータ（に対応するアイコン）を選択してユーザから複製を要求されると（Ｓ３０１）、制御部１５０は、該コンテンツデータに設定されているコピー可能回数が１以上であるか否かをコピー回数管理部１２０に問い合わせる（Ｓ３０２）。もしコピー可能回数が１以上あれば（Ｓ３０２のＹｅｓ）、制御部１５０はＨＤＤ部１１６から該コンテンツデータを読み出して暗号解読部１２２及び暗号化部１２４を経てディスクドライブ部１２６若しくはデジタルＩ／Ｆ部１２８に出力させ、複製処理を行う（Ｓ３０３）。もしこの複製処理が成功すれば（Ｓ３０４のＹｅｓ）、コピー回数管理部１２０は、このコンテンツデータのコピー可能回数を１減算する（Ｓ３０５）。
【００２７】
もしユーザが複製を指示したコンテンツデータに設定されたコピー可能回数が０回（即ちＮｏＭｏｒｅＣｏｐｙの状態）であった場合（Ｓ３０２のＮｏ）、或いは複製処理に失敗した場合には（Ｓ３０３のＮｏ）、ＧＵＩ処理部１１１はエラーメッセージを作成して表示部１１２に表示させる（Ｓ３０６）。
【００２８】
このようにコピー可能回数を管理することで、ＨＤＤ部１１６に格納されたコンテンツデータの著作権を確実に保護することができる。
続いて、図４乃至図６を参照しながら、コンテンツ一覧表示画面について説明する。
図４は、本実施例に係るＧＵＩ処理部１１１が作成するコンテンツ一覧表示画面の例を示す図である。図４の例では、図２に例を示したコピー可能回数情報を元に、各コンテンツデータに対応するアイコンを其々作成して配置している。より具体的には、「哲子の部屋」「Ｆ１中継」「世界の車から」「散策京都」「ガリレオ探偵」「不思議発見」をそれぞれタイトルとして持つコンテンツデータに対応するアイコン４０１〜４０６を作成している。
【００２９】
各アイコンの詳細については図５及び図６を参照しながら後に後述するが、各アイコン４０１〜４０６は、其々サムネイル画像４０１ａ〜４０６ａの領域と、タイトルや放送時間等情報をテキスト情報として示すコンテンツ情報４０１ｂ〜４０６ｂの領域とに大きく分けることができる。サムネイル画像４０１ａ〜４０６ａは、其々コピー可能回数に応じて大きさが変化するため、各画像の大きさが異なることとなっている。一方テキスト情報であるコンテンツ情報４０１ｂ〜４０６ｂについては、コピー可能回数に応じて文字の大きさ等が変化することはない。
【００３０】
また、あわせてカーソル４１０も表示するようにしており、ユーザが行う操作によりカーソル４１０を上下左右に動かし、アイコン４０１〜４０６のうち１のアイコンを選択することができるようになっている（図４の例では、「Ｆ１中継」のコンテンツデータに対応するアイコン４０２が選択されている）。
【００３１】
また更に、図４のコンテンツ一覧表示画面４０の例では、カーソル４１０で選択されたアイコン４０２に対し、吹出し４２０を表示するようにしている。この吹出し４２０には、カーソル４１０で選択されたアイコン４０２に対応するコンテンツデータの著作権保護形態、及びコピー可能回数をメッセージ表示できるようになっている。例えば図４では、該コンテンツデータの著作権保護形態が「回数制限付コピー可能」である旨、及び残りコピー可能回数が４回である旨が示されている。
【００３２】
コンテンツ一覧表示画面４０上に配置されるアイコンの形状について、図５及び図６を参照しながら詳述する。図５は、コンテンツ一覧表示画面４０上に配置されるアイコン４０２を示す図である。
【００３３】
アイコン４０２は、サムネイル画像４０２ａと、コンテンツ情報４０２ｂとから構成される。サムネイル画像４０２ａは、該アイコンに対応するコンテンツデータから抽出した静止画像である。アイコン４０２上にこのようなサムネイル画像４０２ａを表示することにより、ユーザは内容を把握しやすくなる。
【００３４】
更に、このサムネイル画像４０２ａの大きさは、コピー回数管理部１２０が管理するコピー可能回数情報に応じて変化するようになっている。例えば、当初ダビング１０の設定がされて放送されたコンテンツデータであれば、録画してすぐのコピー可能回数が９回の状態であるときの大きさ（図５中、破線で示す）が最も大きく、９回のコピーが終了した後の大きさが最も小さくなるようにする。このようにコピー可能回数に応じてサムネイル画像４０２ａの大きさを変化させることにより、ユーザは直感的にコピー可能回数を把握することが可能となる。特に、他のコンテンツデータとの大きさの違いにより、コピー可能回数の残余の多少がわかりやすい。
【００３５】
尚、たとえコピー可能回数が０回（ＮｏＭｏｒｅＣｏｐｙ）となった場合であっても、サムネイル画像４０２ａは表示するようにした方が好適である。コピー可能回数が０回であっても再生することや移動（ムーブ）することは可能であり、ユーザには依然として内容を把握したいというニーズがあると考えられるが、全くサムネイル画像を表示しない場合にはコンテンツデータの内容を示すというサムネイル画像本来の役割が果たされなくなるからである。
【００３６】
コンテンツ情報４０２ｂは、タイトル、該コンテンツデータに係る番組の放送時間等の情報を、テキストデータとして表記したものである。このようなコンテンツ情報４０２ｂを示すことにより、ユーザは何の番組を録画したコンテンツデータであるかを把握することができる。
【００３７】
尚、上述の通り、コンテンツ情報４０２ｂについては、コピー可能回数に応じて文字の大きさを変化させることはない。テキスト情報はユーザの可読性を維持するためである。
【００３８】
図６もコンテンツ一覧表示画面４０上に配置されるアイコン４０１を示す図である。
アイコン４０１もアイコン４０２と同様、サムネイル画像４０２ａと、コンテンツ情報４０２ｂとから構成される。ここで、図２に例を示したコピー管理部１２０で管理するコピー可能回数情報を参照すると、アイコン４０１に対応するコンテンツデータは、コピーフリーである旨が示されている。
【００３９】
よって、ダビング１０の設定がされて放送されたコンテンツデータであれば、録画してすぐのコピー可能回数が９回であるときの大きさ（図６中、破線で示す）よりも、サムネイル画像４０１ａ大きく示す。つまり、ダビング１０の設定がなされたコンテンツデータに対応するアイコンのサムネイル画像よりも大きく表示されるようになるので、ユーザはコピーフリーのコンテンツデータを容易に識別することができるようになる。
【００４０】
図４乃至図６を参照して説明したコンテンツ一覧画面４０を表示する処理につき、図７を参照しながら説明する。図７は、コンテンツ一覧表示処理を示すフローチャートである。
【００４１】
ユーザが、図示しないリモートコントローラ等の操作によりコンテンツ一覧の表示要求を行うと（Ｓ７０１のＹｅｓ）、ＧＵＩ処理部１１１は、図４に例を示したコンテンツ一覧画面４０を作成し、グラフィック処理部１１０へ出力する（Ｓ７０２）。尚ここで、ＧＵＩ処理部１１１は、コピー回数管理部１２０からコピー可能回数情報を取得し、この情報を元に、各コンテンツデータに対応するアイコン４０１〜４０６を作成してコンテンツ一覧画面上に配置する。更に、カーソル４１０により選択されているアイコン４０２に対し、吹出し４２０を表示して著作権保護形態及びコピー可能回数をメッセージ表示する（Ｓ７０３）。
【００４２】
コンテンツ一覧表示画面４０の表示後、ユーザがリモートコントローラ等の入力デバイスによる操作入力によりカーソル４１０を移動させた場合には（Ｓ７０４のＹｅｓ）、カーソル移動前に表示していた吹出し４２０の表示をやめると共に、新たに選択されたアイコンに対して吹出し４２０を表示してコピー可能回数等の情報を示す（Ｓ７０３）。
【００４３】
カーソル移動以外の操作をユーザが行った場合には（Ｓ７０４のＮｏ）、その操作に応じた処理、例えばコンテンツデータの再生処理や複製処理等を行い、処理を終える（Ｓ７０５）。
【００４４】
以上説明したように、本実施例によれば、コンテンツ一覧表示画面４０表示の際に、回数制限付でコピーが可能であるコンテンツデータについては、サムネイル表示をコピー可能回数に対応付けて行うことで、著作権保護形態及びコピー可能回数を視覚的に容易に把握することができるようになる。
【００４５】
更に、コピー回数に制限のない（コピーフリーの）コンテンツデータについても、サムネイル画像を大きく表示することで、ユーザがコピー回数に制限がないことを把握できるようになっている。
【図面の簡単な説明】
【００４６】
【図１】本発明の実施例１に係るテレビジョン放送受信装置の概略を示すブロック図。
【図２】本発明の実施例１に係るテレビジョン放送受信装置が管理するコピー可能回数情報の例を示す図。
【図３】本発明の実施例１に係るテレビジョン放送受信装置が複製処理を行う際の処理の流れを示す図。
【図４】本発明の実施例１に係るテレビジョン放送受信装置が表示するコンテンツ一覧画面の例を示す図。
【図５】本発明の実施例１に係るテレビジョン放送受信装置が表示するアイコンの例を示す図。
【図６】本発明の実施例１に係るテレビジョン放送受信装置が表示するアイコンの例を示す図。
【図７】本発明の実施例１に係るテレビジョン放送受信装置がコンテンツ一覧画面を表示する際の処理の流れを示す図。
【符号の説明】
【００４７】
４０・・・コンテンツ一覧画面
１００・・・デジタルテレビジョン放送受信装置
１０２・・・アンテナ
１０４・・・デジタルチューナ部
１０６・・・暗号解読部
１０８・・・復号部
１１０・・・グラフィック処理部
１１１・・・ＧＵＩ処理部
１１２・・・表示部
１１４・・・暗号化部
１１６・・・ＨＤＤ部
１１８・・・コピー可能回数抽出部
１２０・・・コピー回数管理部
１２２・・・暗号解読部
１２４・・・暗号化部
１２６・・・ディスクドライブ部
１２８・・・デジタルＩ／Ｆ部
１５０・・・制御部
４０１、４０２、４０３、４０４、４０５、４０６・・・アイコン
４０１ａ、４０２ａ、４０３ａ、４０４ａ、４０５ａ、４０６ａ・・・サムネイル画像
４０１ｂ、４０２ｂ、４０３ｂ、４０４ｂ、４０５ｂ、４０６ｂ・・・コンテンツ情報
４１０・・・カーソル
４２０・・・吹出し
【図１】
2009245475.tif 000003
【図２】
2009245475.tif 000004
【図３】
2009245475.tif 000005
【図４】
2009245475.tif 000006
【図５】
2009245475.tif 000007
【図６】
2009245475.tif 000008
【図７】
2009245475.tif 000009